(57)【要約】【課題】小型で、充分長い余長収納が可能であり、防滴性に優れ、クロージャの開封、封止作業、光ファイバの接続収納作業も容易であり、さらに、光ファイバに損傷を与える恐れの少ない光クロージャを提供する。【解決手段】光ファイバケーブル２を導入可能な開口を有するベース３と、このベース３に一端側が取り付けられた概ね棒状の接続部支持部材４と、接続部支持部材４を囲むようにベース３に取り付けられてクロージャ内部空間を形成するキャップ状の蓋５とを有する。ベース３の開口からクロージャ内部に導入された光ファイバケーブル２の光接続部が接続部支持部材４に固定され、その接続余長２ａ’が、樹脂フイルム製でシート状をなし少なくとも一方が開口する余長収納袋１８に収納され、このシート状の余長収納袋１８が接続部支持部材４に巻き付けられる。【選択図】図２
2008176239.tif 000002
【特許請求の範囲】
【請求項１】
光ファイバケーブルを導入可能な開口を有するベースと、このベースに一端側が取り付けられた概ね棒状の接続部支持部材と、前記接続部支持部材を囲むようにベースに取り付けられてクロージャ内部空間を形成するキャップ状の蓋とを有し、
前記ベースの開口からクロージャ内部に導入された光ファイバケーブルの光接続部が前記接続部支持部材に間接的に又は直接に固定され、光ファイバケーブルの前記光接続部の接続余長が、樹脂フイルム製でシート状をなし少なくとも一方が開口する余長収納袋に収納され、この余長収納袋が接続部支持部材に巻き付けられたことを特徴とする光クロージャ。
【請求項２】
前記ベースが光ファイバケーブルを導入可能な円筒状の開口を有し、前記接続部支持部材の少なくとも一端側が円柱状をなすとともにその外周面に光ファイバケーブル導入用溝を有しかつ前記円筒状の開口に嵌合して取り付けられていることを特徴とする請求項１記載の光クロージャ。
【請求項３】
前記ベースが少なくとも細径部と大径部とが段差を介して連接されている多段円筒状をなし、前記蓋がベースの前記大径部に嵌合可能な開口端を持つ概略円錐キャップ状をなし、前記ベースの細径部内に棒状の接続部支持部材の基端部が嵌合して固定され、接続部支持部材の外周に設けた光ファイバ収容溝が光ファイバケーブル導入孔を形成する構造であることを特徴とする請求項１又は２記載の光クロージャ。
【請求項４】
細長い光接続部固定用部材が接続部支持部材の外面に、接続部支持部材の長手方向をなして固定されていることを特徴とする請求項１〜３記載の光クロージャ。
【請求項５】
前記余長収納袋の開口側の端縁が接続部支持部材に貼り付けられていることを特徴とする請求項１〜４記載の光クロージャ。
【発明の詳細な説明】
【技術分野】
【０００１】
この発明は、光ファイバケーブルが光クロージャの片側端において導入、導出される構造のいわゆるポット型の光クロージャ、特にユーザ宅への引き落とし線に用いて好適な小型の光クロージャに関する。
【背景技術】
【０００２】
一般的な光クロージャは、例えばクロージャスリーブの両側の端面板に光ファイバケーブル導入孔を備えて、光ファイバケーブルの配線方向に添うように、光ファイバケーブルが両端から内部に導入される構造である。
これに対して、いわゆるポット型光クロージャは、光ファイバケーブルが光クロージャの片側端から内部に導入される構造であり、主に地下配線の立ち上げ部等に用いられており、光ファイバケーブルは底面から導入される。この構造は欧米では主流になっている。
例えば、特許文献１のポット型光クロージャは、接続余長を、筒内側の巻き付けフレームに添って巻回している構造である。
特許文献２のポット型光クロージャは、複数のアダプタを列状に設けた細長い光ファイバ固定部（アダプタマウント）をベース部材に固定して筒内に収容した構造で、光ファイバのコネクタ端を前記光ファイバ固定部のアダプタに接続するもので、接続余長の処理はあまり考慮されていない。
特許文献３のポット型光クロージャは、内部に複数の可倒式の余長収納カセットを収納した構造である。
特許文献４のポット型光クロージャは、光ファイバ端がクロージャ内の光ファイバ配線棚で固定されている構造である。
【特許文献１】ＵＳＰ６０１４４９０
【特許文献２】ＵＳＰ５７９０７３９
【特許文献３】ＵＳＰ５５５３１８６
【特許文献４】ＵＳＰ５３２３４８０
【発明の開示】
【発明が解決しようとする課題】
【０００３】
ところで、ユーザ宅にドロップケーブルを引き落とす場合一般に、小型キャビネットをユーザ宅の壁に取り付け、この小型キャビネットにおいて、ドロップケーブルと宅内配線とを融着、あるいはメカニカルスプライス、あるいは、外被把持光コネクタ（いわゆるＦＡコネクタ）などで接続する。しかし、ユーザによっては壁面に穴を開けることを嫌う場合もあるのでキャビネットを取り付けることができない事態も生ずる。
そこで、光クロージャの支持物がなく、光接続部の補強部材上で光ファイバケーブルのテンションメンバを固定する、空中接続方式（ないし空中浮遊方式）の小型光クロージャが開発されている。
【０００４】
両端から光ファイバケーブルを導入する方式の従来の一般的な光クロージャは、十分な余長収納スペースを確保しつつ小型化することが困難であり、取付金物に取り付けることができない。
また、空中接続方式の場合は、十分な余長収納スペースを確保すること自体ができないが、スペースの問題以外にさらに、クロージャが回転してしまうため、ベースと蓋との接合部の向きが定まらず雨滴が浸入し易い向きになる恐れがあり、防滴性に問題がある。
また、光クロージャが固定されていないので、クロージャの開封、封止作業、光ファイバの接続収納作業がしにくいという問題もある。
また、上記特許文献１〜４の各ポット型光クロージャは構造が複雑であり、必ずしも小型化が容易でないので、地下配線の立ち上げ部には好適であっても、例えば家屋外部に通常存在する規格の取付金物に簡単に取り付けることは困難である。
【０００５】
ところで、光接続部の両側の光ファイバケーブルをリールに巻き取る構造とすれば、接続余長のスペースを別途設ける必要がないので、光クロージャを容易に小型化することができ、したがって、家屋外部に通常存在する規格の取付金物に簡単に取り付けることが可能となる。
しかし、このリール方式の場合、現場で光ファイバをリールに巻き取り、巻き戻しするため、光ファイバに損傷を与える恐れがある。
【０００６】
本発明は上記従来の欠点を解消するためになされたもので、ユーザ家屋の一般的な金物に取付けることができる程度に小型化することが容易であり、充分長い余長収納が可能であり、防滴性に優れ、クロージャの開封、封止作業、光ファイバの接続収納作業も容易であり、さらに、光ファイバに損傷を与える恐れの少ない光クロージャを提供することを目的とする。
【課題を解決するための手段】
【０００７】
上記課題を解決する本発明の光クロージャは、光ファイバケーブルを導入可能な開口を有するベースと、このベースに一端側が取り付けられた概ね棒状の接続部支持部材と、前記接続部支持部材を囲むようにベースに取り付けられてクロージャ内部空間を形成するキャップ状の蓋とを有し、
前記ベースの開口からクロージャ内部に導入された光ファイバケーブルの光接続部が前記接続部支持部材に間接的に又は直接に固定され、光ファイバケーブルの前記光接続部の接続余長が、樹脂フイルム製でシート状をなし少なくとも一方が開口する余長収納袋に収納され、この余長収納袋が接続部支持部材に巻き付けられたことを特徴とする。
【０００８】
請求項２は、請求項１の光クロージャにおいて、ベースが光ファイバケーブルを導入可能な円筒状の開口を有し、接続部支持部材の少なくとも一端側が円柱状をなすとともにその外周面に光ファイバケーブル導入用溝を有しかつ前記円筒状の開口に嵌合して取り付けられていることを特徴とする。
【０００９】
請求項３は、請求項１又は２の光クロージャにおいて、ベースが少なくとも細径部と大径部とが段差を介して連接されている多段円筒状をなし、蓋がベースの前記大径部に嵌合可能な開口端を持つ概略円錐キャップ状をなし、ベースの細径部内に棒状の接続部支持部材の基端部が嵌合して固定され、接続部支持部材の外周に設けた光ファイバ収容溝が光ファイバケーブル導入孔を形成する構造であることを特徴とする。
【００１０】
請求項４は、請求項１〜３の光クロージャにおいて、細長い光接続部固定用部材が接続部支持部材の外面に、接続部支持部材の長手方向をなして固定されていることを特徴とする。
【００１１】
請求項５は、請求項１〜４の光クロージャにおいて、余長収納袋の開口側の端縁が接続部支持部材に貼り付けられていることを特徴とする。
【発明の効果】
【００１２】
本発明によれば、ベースに取り付けられてキャップ状の蓋内に収容される棒状の接続部支持部材の外周に光接続部があり、接続余長が樹脂フィルム製のシート状の余長収納袋に収納されて、そのシート状の余長収納袋とともに棒状の接続部支持部材に巻き付けられる構成なので、充分な小型化が可能である。したがって、ユーザ家屋の一般的な金物に取付けることが可能で、壁面に別途取付穴をあける等の必要がなくなり、ユーザの要求を満たすことができる。
また、接続余長は樹脂フィルム製のシート状の余長収納袋に入れて棒状の接続部支持部材に巻き取る構成なので、巻き付け回数を増減することにより、余長増減に容易に対応でき、かつ充分長い接続余長を確保することができる。
また、家屋の通常の金物に取り付けることが可能なので、従来の空中接続方式と異なって、回転する恐れはなく、したがって、回転してしまうことに起因する防滴性上の問題はない。
また、空中接続方式と異なりクロージャが動かないので、また、キャップ状の蓋をベースから外すのは簡単であり、したがって、クロージャの開封、封止作業、光ファイバの接続収納作業は容易である。
また、接続余長は接続部支持部材に巻き付ける際に、シート状の余長収納袋内にありこの余長収納袋で保護されるので、光ファイバが損傷する恐れは少ない。
【発明を実施するための最良の形態】
【００１３】
以下、本発明を実施した光クロージャについて、図面を参照して説明する。
【実施例１】
【００１４】
図１〜図７において、符号１は本発明の一実施例の光クロージャを示す。この光クロージャ１は、光ファイバケーブル２が片側端からのみ導入されるいわゆるポット型光クロージャであり、光ファイバケーブル２を導入可能な開口７ａを有するベース３と、このベース３に一端側が取り付けられた概ね棒状の接続部支持部材４と、前記接続部支持部材４を囲むようにベース３に取り付けられてクロージャ内部空間を形成するキャップ状の蓋５とを備えている。ベース３及び蓋５は例えばポリプロピレン等の樹脂成形品である。
前記ベース３は、細径部７とテーパ状中径部８と大径部９とが段差を介して連接された多段円筒状をなしており、細径部７に接続部支持部材４の円柱状の基部１２が嵌合することで、接続部支持部材４がベース３に固定される。細径部７の内部が光ファイバケーブルを導入可能な開口７ａとなっている。この開口７ａには防水のためのゴムシールが設けられている。
前記キャップ状の蓋５は頭部を切り落とした円錐状をなし、開口端部１１がベース３の大径部９の外周に嵌合して取り付けられ、クロージャ内部空間を形成する。
前記接続部支持部材４は、全体として概ね円柱状であるが、２つの光ファイバケーブル収容溝１２ａを持つ前記円柱状の基部１２と、円柱を面取りして平坦部１３ａを形成した本体部１３とからなっている。
【００１５】
前記接続部支持部材４の本体部１３に、実施例では２本の光ファイバケーブル２の口出し端被覆部を保持する口出し端被覆部保持部材１５を固定し、その前方に、光接続部１７を固定する光接続部固定用部材１６を固定している。図示例の光接続部固定用部材１６は、リブ１６ａで形成される光接続部挟持溝１６ｂを２つ備えており、２心の光ファイバケーブルに対応可能な構成である（但し図示例の光ファイバケーブル２は１心である）。なお、光接続部１７が接続部支持部材４に直接固定される構成とすることも可能である。
光ファイバケーブル２の一方はドロップケーブル、他方はユーザ家屋側ケーブルであり、両ケーブルの光接続部（実施例では融着接続部）１７の両側の接続余長２ａ’は、例えばポリエチレン等の樹脂フイルム製でシート状をなす余長収納袋１８に例えば８の字形に収納され、接続余長２ａ’を収容したこの余長収納袋１８が接続部支持部材４に巻き付けられる。余長収納袋１８の開口端は接続部支持部材４に例えば接着固定されている。
【００１６】
ドロップケーブル引落しの際の光クロージャ封止作業の要領を簡単に説明すると、ドロップケーブル及びユーザ家屋側配線の先端の被覆を除去して光ファイバ心線２ａの口出しを行い、両者を例えば融着接続する。融着接続部（光接続部１７）は光接続部固定用部材１６に固定し、融着接続部１７の両側の接続余長２ａ’は、シート状の余長収納袋１８内に開口側から８の字形に収納し、次いで、接続余長２ａ’を収納したこの余長収納袋１８を接続部支持部材４に巻き付ける。
次いで、キャップ状の蓋３を接続部支持部材４を囲むようにしてベース３に取り付けると、光クロージャ１の組み立てが完成する。なお、図示は省略するが、接続部支持部材４が嵌合しかつ光ファイバケーブル２が導入される開口７ａには防水のためのゴムシールが設けられている。
【００１７】
次いで、この光クロージャ１を適宜手段により、ユーザ家屋側に通常設けられている取付金物に取り付ける。なお、取付金物に予めベース３を取り付けておき、その状態で上述の接続作業、余長収納作業を行うことも可能である。
その後、接続替えや故障点検などが必要になった時は、キャップ状の蓋５を外して、光接続部を取り出し、必要な作業を行うが、蓋５を外すのは容易であり、かつその蓋５を外せば直ちに光接続部を取り出すことができるので、接続替えや故障点検作業などの作業性は良好である。
【００１８】
上記の光クロージャ１は、ベース３に取り付けられてキャップ状の蓋５内に収容される棒状の接続部支持部材４の外周に光接続部があり、接続余長２ａ’が樹脂フィルム製のシート状の余長収納袋１８に収納されて、そのシート状の余長収納袋１８とともに棒状の接続部支持部材４に巻き付けられる構成なので、両端から光ファイバケーブルを導入する方式の光クロージャや特許文献１〜４の各光クロージャ等の従来の光クロージャと比べて、構造が極めてシンプルであり、充分な小型化が可能である。したがって、ユーザ家屋に通常備わっている一般的な取付金物に取付けることが可能で、壁面に別途取付穴をあける等の必要がなくなり、ユーザの要求を満たすことができる。
また、接続余長２ａ’は樹脂フィルム製のシート状の余長収納袋１８に入れて棒状の接続部支持部材４に巻き取る構成なので、巻き付け回数を増減することにより、余長増減に容易に対応でき、かつ充分長い接続余長を確保することができる。
また、家屋の通常の取付金物に取り付けることが可能なので、従来の空中接続方式と異なって、回転する恐れはなく、したがって、回転してしまうことに起因する防滴性上の問題はない。
また、空中接続方式と異なりクロージャが動かないので、また、キャップ状の蓋５をベース３から外すのは簡単であり、したがって、クロージャの開封、封止作業、光ファイバの接続収納作業は容易である。
また、接続余長は接続部支持部材４に巻き付ける際に、シート状の余長収納袋１８内にありこの余長収納袋１８で保護されるので、光ファイバが損傷する恐れは少ない。
【実施例２】
【００１９】
光接続部は、実施例では融着接続によるものとして説明したが接続方式は任意であり、例えばメカニカルスプライスあるいは光コネクタ接続によるものであってもよい。そして、その光接続部の種類に対応して適切な光接続部固定用部材を設ける。
また、実施例では、ベースが概略多段円筒状であるが、単なる円筒状とすることも可能である。円筒以外に角筒その他の筒状でもよい。また、単なる円板等の底板をベースとすることもできる。ベースを底板にした場合は、蓋は実施例の蓋５より深いものを用いるとよい。また、棒状の接続部支持部材は底板の内面側に直接固定し、光ファイバケーブルは底板に個別にあけた光ファイバケーブル導入孔から導入する。
ベースとキャップ状の蓋とからなるクロージャケースの外形はその他種々の外形が可能である。
また、実施例の接続部支持部材４は、基部１２が円柱状で本体部１３は面取りして平坦面１３ａを形成しているが、全体を円柱状とすることも可能であり、特にその具体的形状は限定されない。要するに、ベースから延出するように取付可能な棒状をなして、シート状の余長収納袋１８を巻き付けることができるものであればよい。
また、本発明の光クロージャの設置場所は実施例で述べたユーザ家屋に限らず、例えば電柱上その他種々の箇所に設置することができる。
【図面の簡単な説明】
【００２０】
【図１】本発明の一実施例の光クロージャの断面図である。
【図２】図１の光クロージャの分解図である。
【図３】図２において接続部支持部材をベースに取り付けた状態で示した図である。
【図４】図３において蓋をベースに装着して光クロージャを完成させた状態の図である。
【図５】上記光クロージャにおける接続部支持部材を拡大して示した斜視図である。
【図６】図１のＡ−Ａ断面図である。
【図７】図１のＢ−Ｂ断面図である。
【符号の説明】
【００２１】
１  光クロージャ（ポット型光クロージャ）
２  光ファイバケーブル
２ａ  光ファイバ心線
２ａ’  接続余長
３  ベース
４  接続部支持部材
５  蓋
７  細径部
７ａ  （光ファイバケーブルを導入可能な）開口
８  テーパ状中径部
９  大径部
１２  （接続部支持部材の）基部
１２ａ  光ファイバ収容溝（光ファイバケーブル導入孔）
１３  （接続部支持部材の）本体部
１３ａ  平坦部
１５  口出し端被覆部保持部材
１６  光接続部固定用部材
１６ａ  リブ
１６ｂ  光接続部挟持溝
１８  余長収納袋
【図１】
2008176239.tif 000003
【図２】
2008176239.tif 000004
【図３】
2008176239.tif 000005
【図４】
2008176239.tif 000006
【図５】
2008176239.tif 000007
【図６】
2008176239.tif 000008
【図７】
2008176239.tif 000009